(57)【要約】【課題】中国古来から伝わっている風水学を利用した健康マット或いは健康マットに座して座禅を組み、長時間にわたって瞑想に耽る際に、背骨を真っ直ぐに伸ばした良好な正座姿勢を維持することを目的とする。【解決手段】座ることができる程度の大きさのクッション性のマット座板１とマット座板１の下面に重合され、マット座板１を補強するマット基板２と、該マット基板２の内部に収容されてなるブロック状の水晶３とからなる健康マット。【選択図】図４
0003135421.tif 000002
【実用新案登録請求の範囲】
【請求項１】
座ることができる程度の大きさのクッション性のマット座板とマット座板の下面に重合され、マット座板を補強するマット基板と、該マット基板の内部に収容されてなるブロック状の水晶とからなる健康マット。
【請求項２】
マット座板がマット基板に取り外し可能に重合されてなる請求項１に記載の健康マット。
【請求項３】
マット座板の下面中央部に円形凸部が突設され、これに対応してマット基板の上面中央部に前記円形凸部が適嵌合することができる円形凹部が形成されてなる請求項１又は２に記載の健康マット。
【請求項４】
マット基板に伸縮調整可能な支持棒が取り外し可能に直立状に取り付けられ、該支持棒の上端部に、マット座板に座している使用者の顎を載せることのできる顎載せ台を設けられてなる請求項１〜３の何れかに記載の健康マット。
【請求項５】
マット基板に、その側面から横方向に突出する突片を設けられ、該突片の上面に突片の突出方向の方位を見分けるための方位磁石を設置されてなる請求項１〜４の何れかに記載の健康マット。
【請求項６】
マット基板に、該表面に露出する水晶玉が周方向に複数個埋設されてなる請求項１〜５の何れかに記載の健康マット。
【請求項７】
前記ブロック状の水晶は、角錐ブロック状の水晶と、これを収容する筒状のケースと、該ケースの内壁に巻設してなる金属コイルとからなる請求項１〜６の何れかに記載の健康マット。
【考案の詳細な説明】
【技術分野】
【０００１】
本考案は、中国古来から伝わっている風水学を利用した健康マットに関する。
【背景技術】
【０００２】
従来技術として特許公報等の具体的な公知文献を挙げることはできないが、座布団は単に使用者の座りに負担をかけないための敷布であり、この座布団を健康に留意した健康マットとして提案された例はあるかも知れないが、中国古来から伝達されたきた風水学を考慮に入れた健康マットはこれまでに提案された例はない。また、座布団に座して座禅を組み、長時間にわたって瞑想に耽っても、背骨を真っ直ぐに伸ばした良好な正座姿勢を維持することが必要である。ところが、長時間にわたって正座すると、無意識に背骨が前かがみになったり、睡魔に襲われ、良好な正座姿勢を維持することが困難になることはよく経験するところである。
【考案の開示】
【考案が解決しようとする課題】
【０００３】
本考案は、中国古来から伝わっている風水学を利用した健康マットあるいは座布団に正座して座禅を組み、長時間にわたって瞑想に耽る際に、背骨を真っ直ぐに伸ばした良好な正座姿勢を維持するのを補助するための瞑想具して提案することを目的とする。
【課題を解決するための手段】
【０００４】
上記課題を解決するための手段を、後述する実施形態の参照番号を付して説明すると、請求項１に係る考案は、座ることができる程度の大きさのクッション性のマット座板１とマット座板１の下面に重合され、マット座板１を補強するマット基板２と、該マット基板２の内部に収容されてなるブロック状の水晶３とからなる健康マットに係る。
【０００５】
請求項２に係る健康マットは、マット座板１がマット基板２に取り外し可能に重合されてなる請求項１に記載の健康マット。
【０００６】
請求項３に係る健康マットは、マット座板１の下面中央部に円形凸部１ａが突設され、これに対応してマット基板２の上面中央部に前記円形凸部１ａが適嵌合することができる円形凹部２ａが形成されてなる請求項１又は２に記載の健康マットに係る。
【０００７】
請求項４に係る健康マットは、マット基板２に伸縮調整可能な支持棒４を取り外し可能に直立状に取り付けられ、該支持棒４の上端部に、マット座板１に座している使用者の顎を載せることのできる顎載せ台５を設けられてなる請求項１〜３の何れかに記載の健康マットに係る。
【０００８】
請求項５に係る健康マットは、マット基板２に、その側面から横方向に突出する突片６を設けられ、該突片６の上面に突片６の突出方向の方位を見分けるための方位磁石７を設置されてなる請求項１〜４の何れかに記載の健康マットに係る。
【０００９】
請求項６に係る健康マットは、マット基板２に、該表面に露出する水晶玉８を周方向に複数個埋設されてなる請求項１〜５の何れかに記載の健康マットに係る。
【００１０】
請求項７に係る健康マットは、前記ブロック状の水晶３が、角錐ブロック状の水晶９と、これを収容する筒状のケース１０と、該ケースの内壁に巻設してなる金属コイル１１とからなる請求項１〜６の何れかに記載の健康マットに係る。
【考案の効果】
【００１１】
請求項１に係る考案の健康マットによれば、クッション性のマット座板１に使用者が座するようになっているため、長時間座しても使用者に負担をかけることがなく、しかもクッション性のマット座板１はその裏面側に重合されるマット基板２に補強されているため、マット座板１が長時間使用するも型崩れすることはない。
【００１２】
さらに、本考案の最も特徴とする点は、マット基板２にブロック状の水晶３を収容されてなることである。水晶７は、理論的に説明することは困難であるが、身体内部の組織の活性化につながるエネルギーを放出しているといわれる。水晶は、風水学に欠かせることのできないアイテムの一つである。水晶は、風水学の五行でいうと「水」の属性にあたる。人間の体は７０％が水であるように、水の属性を持つ水晶と人間の体と相性が極めて良いと風水学では言われている。また、水晶発信機ても知られているように、微量の振動波を発信しており、この振動エネルギーを利用して、体力の増進に役立つとも言われている。本考案は、マット基板２の内部にブロック状の水晶３を収容されることによって、マット座板１を介してこれに座する使用者の身体内部に組織の活性化につながるエネルギーがブロック状の水晶３より放出されて付与され、使用者の健康増進に寄与することができる。また、マット基板２に補強されたマット座板１に使用者は座して長時間の瞑想にも使用勝手がよい。
【００１３】
請求項２に係る考案の健康マットによれば、マット座板１がマット基板２に取り外し可能に重合されてなるため、長期間の使用によりマット座板１が損傷してもマット基板２から容易に取り替えることができる。
【００１４】
請求項３に係る考案の健康マットによれば、マット座板１の下面中央部に円形凸部１ａを突設され、これに対応してマット基板２の上面中央部に前記円形凸部１ａが適嵌合することができる円形凹部２ａが形成されてなるため、マット座板１は、マット基板２に重合する際に前者の円形凸部１ａが後者の円形凹部２ａに適嵌合して正確に且つ容易に位置決めされて重合することができ、またマット座板１の保形状態を長期間にわたって良好に維持することができる。
【００１５】
請求項４に係る考案の健康マットによれば、マット基板２に伸縮調整可能な支持棒４を取り外し可能に直立状に取り付けられ、該支持棒４の上端部に、マット座板１に座している使用者の顎を載せることのできる顎載せ台５を設けられてなるため、使用者が健康マットに座して、その背骨が真っ直ぐにした状態で、該健康マットに直立状に取り付けた支持棒４を上下に伸縮調整してその上端部の顎載せ台５に使用者の顎を載せることによって、使用者の姿勢が顎載せ台５に規制され、長時間座禅を組んで瞑想に耽っても、使用者の背骨が真っ直ぐになった良好な姿勢の状態に維持され、背骨が前かがみになったり、睡魔に襲われることはない。また、支持棒４は、マット基板２に伸縮調整可能に取り付けられているため、使用者の座高に合わせて支持棒４の長さを調整することができ、使用者の顎を最適の状態に顎載せ台５に載せることができ、これによってより一層長時間にわたって良好な姿勢を維持して、安定した状態で瞑想に耽ることができる。さらに、支持棒４は、マット基板２に取り外し可能に取り付けられるようになっているため、運搬や保管の際には、健康マットと支持棒４とを互いに分離することできるため、嵩張ることはない。
【００１６】
請求項５に係る考案の健康マットによれば、マット基板２に、その側面から横方向に突出する突片６を設け、該突片６の上面に突片６の突出方向の方位を見分けるための方位磁石７が設置されてなることを特徴とする。方位磁石７も風水学において最も重要なアイテムの一つである。例えば建築物を構築する際に、その方位を風水学に則って正確に定めることが災いの発生を阻止するために必要であると言われている。風水学では、「羅盤」と言われる方位磁石を使用しているが、本考案では、健康マットのマット基板２に設置されてなる方位磁石７によって東西南北の方位を知ることができる。例えば使用者が瞑想に耽ける場合に、使用者は、「東」に向いて座するのが宗教上の仕来りであると言われているが、本考案では、健康マットに方位磁石７が設置されているため、健康マットに座して瞑想に耽る際に、使用者は、方位磁石７によって、その座する「東」の方向を正確に知ることができる。
【００１７】
請求項６に係る考案の健康マットによれば、マット基板２に、該表面に露出する水晶玉８を周方向に複数個埋設されてなることを特徴とする。風水学において、水晶は大きな意味を持つ。例えば、桃水晶はピンク色であるが、これを持つと、結婚運がよいと言われている。金糸水晶は、透明な水晶の中に金色の糸が無数に散りばめられている水晶であるが、財運に関係すると言われている。緑幽水晶は、水晶の中に緑色のものが含まれている水晶であるが、これも財運アップに繋がると言われている。黒水晶は黒色の水晶であるが、これは魔よけに使用されるといわれる。本考案では、このような風水学上、言い伝えある水晶がマット基板２の中心部の周りの東西南北にあたる部位に埋設されることによって、上記開運があることを使用者に納得させ、精神的健康に繋がると言える。
【００１８】
請求項７に係る考案の健康マットによれば、前記角錐状の水晶７は筒状のケース８に収納され、該水晶７から放出されるエネルギーは、該ケース８の内壁に巻設された金属コイル９に案内されて、使用者の身体内部に効率的に付与されることになる。水晶７は、理論的に説明することは困難であるが、風水学上からは、身体内部の組織の活性化につながるエネルギーを放出しているといわれる。本考案によれば、健康マットに使用者が座することよって、使用者の身体内部に組織の活性化につながるエネルギーが水晶７の角錐先端部より放出されて付与され、使用者の健康増進に寄与することができる。
【考案を実施するための最良の形態】
【００１９】
以下に本考案の好適な実施形態について図面を参照しながら説明すると、図１は、本考案に係る健康マットの外観斜視図で、図２は要部の拡大図である。。健康マットは、使用者の臀部が座するに適した大きさの発泡ウレタン等の軟質発泡樹脂製あるいは合成ゴム製等のクッション性を有する円形なマット座板１と、該マット座板１に重合され、該マット座板１を補強する合成樹脂製または木製の円形なマット基板２とからなり、マット座板１の上面には適当な装飾模様１２が施されている。
【００２０】
マット基板２には、図１、特に図２の拡大図に示すように、その側面より横方向に突出する平面Ｕ状の輪郭を有する突片６が設けられ、この上面に方位磁石７が設置されると共に、該方位磁石７の真後ろに上下に貫通する貫通穴１３が穿たれている。
図３は、本考案の一実施形態の分解斜視図であり、図４は、その縦断面図である。図３の（ａ）には、マット座板１ガ示され、該マット座板１の裏面中央部には円形状の凸部１ａが突設されている。図３の（ｂ）はマット基板２が示され、該マット基板２の上面中央部には、前記円形凸部１ａに対応して円形状の凹部２ｂが穿たれ、図４に示すように、マット座板１の円形凸部１ａがマット基板２の円形凹部２ａに、できるだけ隙間なく適嵌合できるようになっている。
【００２１】
マット基板２の表面の周方向等間隔に４つの水晶玉８が埋設されている。該水晶玉８は種々の色合いのものがあり、突片６のある側の表面には、例えば緑幽水晶８が埋設され、その周方向に、黒水晶８ｂ、桃水晶８ｃ、金糸水晶８ｄが順次埋設される。それぞれの水晶の縁起があることは前述のとおりである。さらに前述のように、例えば建築物を構築する際に、その方位を風水学に則って正確に定めることが災いの発生を避ける意味でからも必要であると言われているが、方位磁石７の指針が「東」を向いたときの緑幽水晶８ａの方向は、青龍のある位置を示し、黒水晶８ｂの方向は玄武のあるの位置を示し、桃水晶８ｃの方向は白虎のある位置を示し、金糸水晶８ｃの方向は朱雀のある位置を示すものとして縁起を健康マットで担ぐことができる。また、前述のように、健康マットで瞑想に耽る場合には、「東」の方向に座するのが習わしとなっているが、その方位を方位磁石７で知ることができる。
【００２２】
マット基板２の中央部の円形凹部２ａの底部には、そのさらに中心部とその周囲に５つの小貫通穴１４が穿たれており、これにブロック状の水晶３が収容される。前記ブロック状の水晶３は、角錐ブロック状の水晶９と、これを収容する筒状のケース１０と、該ケースの内壁に巻設してなる金属コイル１１とからなり、筒状のケース１０は図３の（ｃ）に示すとおりで、下端部に鍔１０ａが一体に突設されており、図３の（ｄ）に示すように、筒状ケース１０の内部には角錐ブロック状の水晶９がその底部に載置するようにして収容され、筒状ケース１０の内壁に沿って金属コイル１１が螺旋状に巻設されている。
図３の（ｅ）は、支持棒４と顎載せ台５と示すもので、健康マットを瞑想具として使用する際のアイテムの一つであり、上部棒部４ａ及びこれに伸縮可能に嵌合され下部棒部４ｂとからなる支持棒４と、その上端部に取り付けられた顎載せ台５とらかなる。支持棒４の下部棒部４ｂの上部は上部棒部４ａの管内に挿入され、回転カム機構１５（図６の（ａ）〜（ｃ））によって上部棒部４ａは下部棒部４ｂに伸縮調整位置で固定されるようになっている。すなわち、図６の（ａ）に矢印で示すように、上部棒部４ａは、下部棒部４ｂに対して水平方向に回転できるようになっており、図６の（ｂ）に示すように、下部棒部４ｂのカム山１５ａから上部棒部４ａの管内内壁のカム谷１５ｂが離脱しているときは、上部棒部４ａは、下部棒部４ｂに対してフリーとなって自由に上下に伸縮移動調整することができるが、図６の（ｃ）に示すように、上部棒部４ａを矢印方向（図示では反時計方向）に回転させることによって、下部棒部４ｂのカム山１５ａに上部棒部４ａの管内内壁のカム谷１５ｂが圧接し、上部棒部４ａと下部棒部４ｂは、互いに回転不能の不動状態となって、上部棒部４ａは、下部棒部４ｂに対して、その伸縮位置でロック状態に繋がれることになる。
【００２３】
図４の断面図に示すように、マット基板２の中央部に穿たれた５つの小貫通穴に、角錐ブロック状の水晶９を収容した筒状ケースを底部から適嵌合し、その鍔ををマット基板２の底面に接着剤で固定させる。そして、マット基板２の表面に４つの水晶玉８（８ａ〜８ｄ）を埋設し、この状態で、マット座板１の円形凸部１ａをマット基板２の円形凹部２ａに適嵌合し、顎載せ台５を上端部に取り付けた支持棒４の下部棒部をマット基板２の貫通穴に直立状に適嵌合し、突片６にはその上面に方位磁石７が取り付けられている。
方位磁石７も風水学において最も重要なアイテムの一つである。。風水学では、「羅盤」と言われる方位磁石を使用しているが、た支持棒２の上端部の顎載せ台３に受け止められ、該顎載せ台３に規制されて、使用者Ｍの姿勢は、長時間にわたる座禅等の瞑想状態にもかかわらず、良好に維持される。
【００２４】
従って、図５に示すように、使用者は、健康マットにその臀部がマット座板１に載るようにして座することによって、これに収容した水晶３，水晶玉８の作用によって、使用者のマット座板１を介してこれに座する使用者の身体内部に組織の活性化につながるエネルギーが放出されて付与され、使用者の健康増進に寄与することができる。また、使用者が健康マットに座して瞑想に耽る場合には、図５に示すように、マット基板２に直立状に取り付けられた支持棒４上端部の顎載せ台５に使用者の顎を載せて、支持棒４の高さを前述の回転カム機構１５によって調節し、使用者の背筋を真っ直ぐにした姿勢状態のときの顎の位置まで顎載せ台５がくるように上部棒部４ａを下部棒部４ｂに対して伸長操作し、顎載せ台５に顎を安定よく受けた位置で、ロック状態に繋ぐことによって、顎は、顎載せ台５に規制されてその位置で保持され、使用者の背筋が真っ直ぐになった良好な姿勢状態を長時間にわたって維持することができる。
【００２５】
そして、この際に、方位磁石７によって、突片６が「東」を向くように健康マットを配置し、使用者は、突片６の方向に顎が向くようにして健康マットに座すことによって、瞑想時の仕来りである「東」方向に向いた状態で瞑想に耽ることができる。
【図面の簡単な説明】
【００２６】
【図１】は、本考案に係る健康マットの外観斜視図である。
【図２】は、同要部の平面図である。
【図３】は、同分解斜視図で、そのうち（ａ）は、マット座板の斜視図、（ｂ）は、マット基板の斜視図、（ｃ）は、筒状ケースの斜視図、（ｄ）は、筒状ケースの断面図、（ｅ）は、支持棒の斜視図である。
【図４】は、同使用状態を示す縦断正面図である。を示し、（ｂ）は、基板４の部分を示し、(c) は、支持棒２の部分を示し、（ｄ）は、水晶７の部分を示す。
【図５】は、同使用状態を示す斜視図である。
【図６】は、支持棒４の伸縮調整機構である回転カム機構を示す図であり、そのうち、（ａ）は、支持棒４の上部棒部４ａと下部棒部４ｂとの伸縮状態を示す断面図であり、（ｂ）は、回転カム機構のフリーの状態を示し、（ｃ）は、ロック状態を示す。
【符号の説明】
【００２７】
１          マット座板
１ａ        マット座板１の円形凸部
２          マット基板
２ａ        マット基板２の円形凹部
３          ブロック状の水晶
４          支持棒
５          顎載せ台
６          突片
７          方位磁石
８          水晶玉
９          角錐ブロック状の水晶
１０        筒状のケース
１１        金属コイル
【図１】
0003135421.tif 000003
【図２】
0003135421.tif 000004
【図３】
0003135421.tif 000005
【図４】
0003135421.tif 000006
【図５】
0003135421.tif 000007
【図６】
0003135421.tif 000008